(57)【要約】【課題】車を運転しながら宅内の不審者侵入などが確認でき、かつ不審者侵入があれば威嚇して退去させることができる見守り安心システムを提供することを目的とする。【解決手段】宅内装置１１は報知手段４と宅内の様子を撮像する撮像手段５を有し、車１２はナビゲーション機能を有する表示手段１５を有し、前記表示手段１５は、前記撮像手段５のデータを表示するとともに前記報知手段４による報知制御を行うようにしたものである。これにより、ナビゲーション機能を有する表示手段１５にて、車１２を運転しながら宅内の不審者侵入などが確認でき、かつ不審者侵入があれば威嚇して退去させることができる。【選択図】図１
2006018418.tif 000002
【特許請求の範囲】
【請求項１】
宅内装置と、この装置と通信可能な車とを備え、前記宅内装置は、報知手段と、宅内の様子を撮像する撮像手段と、前記撮像手段のデータを記憶する記憶手段と、前記撮像手段と通信して遠隔制御するための無線通信手段と、前記撮像手段を外部とのネットワークを可能とするための情報通信手段と、前記各手段からの情報を送受、制御する制御手段とを有し、前記車は、前記宅内装置の情報通信手段と通信可能な情報通信手段と、この情報通信手段を制御する制御手段と、ナビゲーション機能を有する表示手段とを有し、前記表示手段は、前記撮像手段のデータを表示するとともに前記報知手段による報知制御を可能とした見守り安心システム。
【請求項２】
表示手段において、ナビゲーション表示と撮像手段のデータ表示の切替え操作を可能とした請求項１に記載の見守り安心システム。
【請求項３】
車は位置情報手段を有し、宅内装置から離れた時および接近した時に表示手段へ撮像手段のデータを表示手段に表示する構成とした請求項１または２に記載の見守り安心システム。
【発明の詳細な説明】
【技術分野】
【０００１】
本発明は、車の運転中に不審者の侵入などが確認できる見守り安心システムに関するものである。
【背景技術】
【０００２】
従来、宅内の安心システムとしては、玄関先あるいは玄関外から宅内装置の各種センサ群と通信を行って安心が確認できるものが知られている（例えば、特許文献１参照）。
【特許文献１】特開平０６−５２４８１号公報
【発明の開示】
【発明が解決しようとする課題】
【０００３】
今日、車が普及している中、車から宅内の安心が確認したいというニーズがでてきているが、前記従来のシステムではその対応ができないものであった。また、携帯電話で宅内の安心を確認することも考えられるが、車運転中での携帯電話の使用は安全運転上できない。
【０００４】
本発明は、前記従来の課題を解決するもので、車を運転しながら宅内の不審者侵入などが確認でき、かつ不審者侵入があれば威嚇して退去させることができる見守り安心システムを提供することを目的とする。
【課題を解決するための手段】
【０００５】
前記従来の課題を解決するために、本発明の見守り安心システムは、宅内装置は報知手段と宅内の様子を撮像する撮像手段を有し、車はナビゲーション機能を有する表示手段を有し、前記表示手段は、前記撮像手段のデータを表示するとともに前記報知手段による報知制御を可能としたものである。
【０００６】
これにより、ナビゲーション機能を有する表示手段にて、車を運転しながら宅内の不審者侵入などが確認でき、かつ不審者侵入があれば報知により威嚇して退去させることができる。
【発明の効果】
【０００７】
本発明の見守り安心システムは、車を運転しながら宅内の不審者侵入などが確認でき、かつ不審者侵入があれば威嚇して退去させることができる。
【発明を実施するための最良の形態】
【０００８】
第１の発明は、宅内装置と、この装置と通信可能な車とを備え、前記宅内装置は、報知手段と、宅内装置の様子を撮像する撮像手段と、前記撮像手段のデータを記憶する記憶手段と、前記撮像手段と通信して遠隔制御するための無線通信手段と、前記撮像手段を外部とのネットワークを可能とするための情報通信手段と、前記各手段からの情報を送受、制御する制御手段とを有し、前記車は、前記宅内装置の情報通信手段と通信可能な情報通信手段と、この情報通信手段を制御する制御手段と、ナビゲーション機能を有する表示手段とを有し、前記表示手段は、前記撮像手段のデータを表示するとともに前記報知手段による報知制御を可能とした見守り安心システムとすることにより、ナビゲーション機能を有する表示手段にて、車を運転しながら宅内の不審者侵入などが確認でき、かつ不審者侵入があれば報知により威嚇して退去させることができる。
【０００９】
第２の発明は、特に、第１の発明において、表示手段において、ナビゲーション表示と撮像手段のデータ表示の切替え操作を可能としたことにより、いつでも容易に、宅内の様子確認と、不審者の侵入があれば威嚇ができる。
【００１０】
第３の発明は、特に、第１または第２の発明において、車は位置情報手段を有し、宅内装置から離れた時および接近した時に表示手段へ撮像手段のデータを表示手段に表示する構成としたことにより、外出時にはすぐに宅内の様子が確認でき、例えば、戸締まりがなされていることなどの確認ができて安心して遠出することができ、帰宅時には事前に宅内の様子が確認でき、不審者の侵入があれば、威嚇したり、撮像手段のデータを記憶したり、警察などへ事前に通報したりすることができる。そして、表示手段への表示はナビゲーションから撮像データに切り替るので、宅内の見守りが安心して確実に行うことができる。
【００１１】
以下、本発明の実施の形態について、図面を参照しながら説明する。なお、この実施の形態によって本発明が限定されるものではない。
【００１２】
（実施の形態１）
図１、図２は、本発明の実施の形態１における見守り安心システムを示している。
【００１３】
図１に示すように、本実施の形態における見守り安心システムは、宅内装置１１と、この装置と通信可能な車１２とを備えている。
【００１４】
前記宅内装置１１は、侵入者などを威嚇するための報知手段４と、宅内の様子を撮像する撮像手段５と、前記撮像手段５のデータを記憶する記憶手段６と、前記撮像手段５と通信して遠隔制御するための無線通信手段７と、前記撮像手段５を外部のネットワーク網８と接続して通信可能とするための情報通信手段９と、前記各手段からの情報を送受、制御する制御手段１０とを有している。
【００１５】
前記車１２は、前記宅内装置１１の情報通信手段９と通信可能な情報通信手段１３と、この情報通信手段１３を制御するとともに車内部の様々な制御を行う制御手段１４と、地図などを表示しナビゲーション機能を有する表示手段１５とを有している。そして、前記表示手段１５は、前記撮像手段５の撮像データを地図などと切替表示するとともに前記報知手段４による報知制御を可能として宅内の侵入者などを報知により威嚇することができるようになっている。
【００１６】
また、前記車１２は、車１２のエンジンを始動するためのキー（図示せず）による車始動トリガーにより、前記表示手段１５が動作する構成となっているものであり、使用者は、乗車する一連の流れの中で、車１２を始動すれば、表示手段１５と宅内装置１１の撮像手段５とが接続され、情報通信手段１３からのアクセスによって、撮像手段５による撮像結果が表示手段１５で表示・確認することができるものである。なお、特別なアクセスによらずに、エンジン始動と同時に撮像手段５による撮像結果が表示手段１５に表示され、確認することができるようにすることもできる。
【００１７】
次に、本実施の形態における見守り安心システムの動作、作用について説明する。
【００１８】
宅内装置装置側の制御手段１０は、車１２の情報通信手段１３からのアクセスによって、撮像手段５が宅内の不審者や様子を撮像し、その撮像結果を記憶手段６に一時的に記憶する。また、撮像手段５と制御手段１０の間は、８０２．１１ｘなどのプロトコルによる無線通信手段７によってデータの伝送を行うこともできる。
【００１９】
そして、撮像結果をネットワーク網８と接続された情報通信手段９へ送信し、図２（ａ）に示すように、「撮像手段」のアイコンをタッチすると、撮像手段５の撮像結果がナビゲーション機能を有する表示手段１５に表示される。ここで、不審者を確認したとすると、図２（ｂ）に示すように、「撮像手段：報知」のアイコンにタッチし、車１２の表示手段１５から宅内装置１１の報知手段４への威嚇命令の制御指示をし、ネットワーク網8を介して宅内装置１１側の制御手段１０は報知手段４に指示を出して報知し威嚇するものである。
【００２０】
なお、宅内装置１１の情報通信手段９と車１２の情報通信手段１３とは、インターネット網８で接続する場合、車１２からの宅内装置１１へのアクセス方法は、インターネット網８の無線LANでアクセスしてもよい。また、撮像手段５のデータは、インターネット網８を介して伝送する場合、JPGデータ（静止画）、MPEG（動画）などデータを圧縮して送ることによって、伝送路のストレスをなくすことや、画像データを伝送するときに暗号化を入れることで、第３者への漏洩を防ぐようにすることができる。
【００２１】
（実施の形態２）
図３は、本発明の実施の形態２における見守り安心システムの表示手段での表示例を示している。基本構成は実施の形態１と同様であるので説明は省略する。
【００２２】
本実施の形態における見守り安心システムにおいては、図３（ａ）に示すように、車１２の表示手段１５に表示されている「撮像手段」のアイコンをタッチすると、その指令は、車１２の情報通信手段１３、制御手段１４を介して宅内装置１１の制御手段１０へ撮像手段５の撮像を要求する。そして、撮像データは記憶手段６に保存され、ネットワーク網8を介して車１２へ転送され、ナビゲーション表示されているところへ割り込む形で表示手段１５に表示される。なお、この撮像データは、車１２からの要求によりいつでも取り出せるものである。
【００２３】
その表示の方法は、ナビゲーション表示と並列表示でもかまわないし、単独表示でもよく限定されるものではない。また、ナビゲーション表示に切換えたい時は、図３（ｂ）に示すように、表示手段１５の「解除」のアイコンにタッチすれば、再びナビゲーション表示に戻るものである。
【００２４】
このように、表示手段１５において、ナビゲーション表示と撮像手段５のデータ表示の切替え操作を可能としたことにより、いつでも容易に、宅内の様子確認と、不審者の侵入があれば威嚇ができる。そして、不審者の侵入があれば、そのまま、車１２を運転し警察などへ撮像データを不審者の証拠データとして提示して検挙率向上に役立つようにすることもできる。
【００２５】
（実施の形態３）
図４は、本発明の実施の形態３における見守り安心システムを示している。実施の形態１と同一要素については同一符号を付して説明を省略する。
【００２６】
本実施の形態における見守り安心システムは、車１２に位置情報手段１６を有しており、ナビゲーションに登録される使用者の自宅の位置情報が記憶されている。
【００２７】
これにより、車１２を運転し、帰宅時に家の近くにきたときにナビゲーションの表示手段１５に撮像手段５の撮像データを表示するものである。表示するためのトリガーは、位置情報手段１６の自宅と車１２の現在位置との距離の関係から決定される。緯度、経度や、使用者が予め登録しておく地点を通過したことを検出してトリガーするなど、トリガーの方法は限定されない。そして、使用者宅に接近した時には、ナビゲーションから撮像されたデータに切替るので、事前に宅内の中の様子が確認でき、侵入者が事前にわかれば警察などへ事前に通報し、不審者を待ち伏せて報知手段４で威嚇し、検挙につなげられる効果がある。
【００２８】
また、使用者宅を離れたとき時には、ナビゲーションから撮像されたデータに切替るもので、外出する時に家の中の様子を確認でき、例えば、戸締まりがなされていることなど、出発の準備がなされていることがわかれば安心して遠出することができる効果がある。そして、外出時の家中の様子が確認できると、その後は自動的にあるいは別途操作によりナビゲーション機能に切替り、通常の走行をすることができる。
【産業上の利用可能性】
【００２９】
以上のように、本発明にかかる見守り安心システムは、車を運転しながら宅内の不審者侵入などが確認でき、かつ不審者侵入があれば威嚇して退去させることができるので、一般家庭のセキュリテイ、警察などの保安分野で幅広く活用することが可能である。
【図面の簡単な説明】
【００３０】
【図１】本発明の実施の形態１における見守り安心システムの構成を示すブロック図
【図２】（ａ）同見守り安心システムにおける表示手段の表示例を示す図（ｂ）同表示手段の他の表示例を示す図
【図３】（ａ）本発明の実施の形態２における見守り安心システムの表示手段の表示例を示す図（ｂ）同表示手段の他の表示例を示す図
【図４】本発明の実施の形態３における見守り安心システムの構成を示すブロック図
【符号の説明】
【００３１】
４  報知手段
５  撮像手段
６  記憶手段
７  無線通信手段
８  ネットワーク網
９、１３  情報通信手段
１０、１４  制御手段
１５  表示手段
１６  位置情報手段
【図１】
2006018418.tif 000003
【図２】
2006018418.tif 000004
【図３】
2006018418.tif 000005
【図４】
2006018418.tif 000006